(57)【要約】【課題】筐体構造をいたずらに複雑化することなく、ミラーホルダーの輪郭がアイレンジから視認されるのを防止する。【解決手段】虚像表示器３で表示された情報をアイレンジ側に反射させる四角形状のミラー５のホルダー６は、ミラー５の４つの辺を保持する枠体で形成される。これにより、軽量でありながらミラーを強固に保持することができる。これに加えて、このホルダー６は、虚像表示器３から発せられる光がこのホルダー６の一部にあたってアイレンジＥＲ側に反射するのを防止するための反射防止手段６３ａ〜６３ｄを有している。これにより、ホルダー６の輪郭がアイレンジＥＲから視認されるのを防止できる。【選択図】図４
2005055663.tif 000002
【特許請求の範囲】
【請求項１】
車両に関する情報を発光表示する表示器と、車両のインストルメントパネルに埋設されて前記表示器を収容する筐体と、前記表示器で表示された情報を、アイレンジ側に反射させる四角形状のミラーと、前記筐体の内面に装着されて前記ミラーを保持するミラーホルダーと、を備えた虚像式メータにおいて、
前記ミラーホルダーは、
前記ミラーの４つの辺を保持する枠体で形成されると共に、前記表示器から発せられる光がこのミラーホルダーの一部にあたってアイレンジ側に反射するのを防止するための反射防止手段が一体形成されている、
ことを特徴とする虚像式メータ。
【請求項２】
車両に関する情報を発光表示する表示器と、車両のインストルメントパネルに埋設されて前記表示器を収容する筐体と、前記表示器で表示された情報を、アイレンジ側に反射させる四角形状のミラーと、を備えた虚像式メータに用いられ、前記筐体の内面に装着されて前記ミラーを保持するミラーホルダーであって、
前記ミラーの４つの辺を保持する枠体で形成されると共に、前記表示器から発せられる光がこのミラーホルダーの一部にあたってアイレンジ側に反射するのを防止するための反射防止手段が一体形成されている、
ことを特徴とするミラーホルダー。
【請求項３】
請求項２記載のミラーホルダーにおいて、
前記表示器から鉛直方向に発せられる光に略直交する２辺である前記ミラーの第１対向辺、をそれぞれ保持する第１枠部及び第２枠部と、
前記第１対向辺に直交する２辺である前記ミラーの第２対向辺、をそれぞれ保持する第３枠部及び第４枠部と、
から構成され、
前記第１枠部及び前記第２枠部の少なくともいずれか一方の上面には、前記表示器から発せられる光が前記アイレンジ側に反射するのを遮断する断面三角形状の反射防止用リブが延設されている、
ことを特徴とするミラーホルダー。
【請求項４】
請求項２記載のミラーホルダーにおいて、
前記ミラーホルダーは、
前記表示器から鉛直方向に発せられる光に略直交する２辺である前記ミラーの第１対向辺、をそれぞれ保持する第１枠部及び第２枠部と、
前記第１対向辺に直交する２辺である前記ミラーの第２対向辺、をそれぞれ保持する第３枠部及び第４枠部と、
から構成され、
前記第３及び第４枠部の少なくともいずれか一方の内側面には、前記表示器から発せられる光が前記アイレンジ側に反射するのを遮断する断面三角形状の複数の反射防止用突条が連設されている、
ことを特徴とするミラーホルダー。
【請求項５】
請求項４記載のミラーホルダーにおいて、
前記第１枠部及び前記第２枠部の少なくともいずれか一方の上面には、
断面三角形状の反射防止用リブが延設されている、
ことを特徴とするミラーホルダー。
【請求項６】
請求項５記載のミラーホルダーにおいて、
前記反射防止用リブは、
それぞれ平行に複数本延設されている、
ことを特徴とするミラーホルダー。
【請求項７】
請求項２〜６のいずれか一項に記載のミラーホルダーにおいて、
前記第４枠部は、前記第３枠部より幅広に形成されており、
前記第４枠部の裏面には、
前記ミラーを裏面から保持するための保持部と、
前記保持部と前記第４枠部とを連結する可撓性を有する折曲部と、
前記保持部の外縁と係合する爪部と、
が形成されている、
ことを特徴とするミラーホルダー。
【発明の詳細な説明】
【技術分野】
【０００１】
本発明は、表示器にて表示された情報を筐体内面に取り付けられたミラーにて反射させてアイレンジ側から視認できるようにした車載される虚像式メータ及びこれに用いられるミラーホルダーに関し、特に、ミラーホルダーの輪郭がアイレンジから視認されるのを防止した虚像式メータ及びこれに用いられるミラーホルダーに関する。
【背景技術】
【０００２】
近年、乗用車等の車両には、ドライバ等からの視認性を向上させるために、いわゆる、虚像式メータが用いられることがある。この虚像式メータでは、通常、虚像表示器からの情報を所定のミラーで反射させて、この反射された情報をドライバ等のアイレンジに向けて出射するようにしている。これにより、虚像表示器からアイレンジまでの距離をできるだけ長くして、ウインドウシールドを通した前方視界との差を縮めて、ドライバ等から上記情報の視認性を向上させている。
【０００３】
ところが、この種の虚像式メータにおいては、虚像表示器から発せられる光の一部が筐体内面で反射して、本来視認されるべき表示情報以外のゴースト像を発生させてしまう場合がある。このようなゴースト像の発生を抑制するために、下記特許文献１等では、筐体内面に複数の突条を設けたり、薄手の布を貼着したりして対策を講じている。
【０００４】
このような筐体内面での反射によるゴースト像に加えて、この種の虚像式メータにおいては、虚像表示器から発せられる光が上記ミラーを保持するミラーホルダーの一部にあたってアイレンジ側に反射することにより、車両情報としては不要なミラーホルダーの輪郭３′（図１参照）がアイレンジ側から視認されてしまうという問題も発生する。
【０００５】
この問題を以下に図１０を用いて説明を加える。図１０は、上記問題点を説明するための虚像式メータの断面図である。図１０に示すように、この種の虚像式メータは、バックユニット１、反射部ユニット４、ホルダーユニット７及びフロントユニット９等から構成される筐体の最奥部の底面に配置されて、車両に関する情報を発光表示する虚像表示器３と、この虚像表示器３で表示された情報を、アイレンジＥＲ側に反射させる四角形状のミラー５と、筐体の内面に装着されてミラーを保持するミラーホルダー６′と、筐体前面に覆設される表ガラス８と、ミラー５で反射された虚像表示器３からの情報をアイレンジＥＲ側に反射させるハーフミラー１０と、を備えている。特に、ミラーホルダー６′は、ミラー５を確実に固定するために、ミラー前面の側縁近傍を保持する枠部６ａ′を有している。
【０００６】
このような構成において、所定の制御信号に応答して、虚像表示器３からスピード等の情報を示す表示光が出射されると、この表示光の大部分は、図示しないが、ミラー５で一旦反射されて、表ガラス８を透過してハーフミラー１０に向かう。ハーフミラー１０では、この表示光が再度反射されてアイレンジＥＲに到達する。
【特許文献１】特開２００１−１０５９２８号公報
【発明の開示】
【発明が解決しようとする課題】
【０００７】
ところが、虚像表示器３から発せられる表示光のうちで、ミラーホルダー６′の枠部６ａ′に向かった光Ｌ３ａ及び光Ｌ３ｂもまた、枠部６ａ′で反射した後、表ガラス８を透過して、ハーフミラー１０で再度反射されて、最終的にアイレンジＥＲに至る。そうすると、虚像表示器３の輪郭が、図１の３′で示すように、ドライバ等から視認されてしまうことになる。このような輪郭３′は、本来、視認されるべき車両情報ではないので、重要な表示の視認性や表示品質を低下させてしまうという問題が発生する。これを避けるためには、上記光を遮断するための壁４ａ、４ｂ等の反射防止構造を筐体内面に設けることも考えられるが、筐体構造の複雑化を招くことになり、好ましくない。
【０００８】
よって本発明は、上述した現状に鑑み、筐体構造をいたずらに複雑化することなく、ミラーホルダーの輪郭がアイレンジから視認されるのを防止でき、表示品質及び視認性を向上させることができる虚像式メータ及びこれに用いられるミラーホルダーを提供することを課題としている。
【課題を解決するための手段】
【０００９】
上記課題を解決するためになされた請求項１記載の虚像式メータは、車両に関する情報を発光表示する表示器と、車両のインストルメントパネルに埋設されて前記表示器を収容する筐体と、前記表示器で表示された情報を、アイレンジ側に反射させる四角形状のミラーと、前記筐体の内面に装着されて前記ミラーを保持するミラーホルダーと、を備えた虚像式メータにおいて、前記ミラーホルダーは、前記ミラーの４つの辺を保持する枠体で形成されると共に、前記表示器から発せられる光がこのミラーホルダーの一部にあたってアイレンジ側に反射するのを防止するための反射防止手段が一体形成されている、ことを特徴とする。
【００１０】
請求項１記載の発明によれば、車両用の虚像式メータにおいて、表示器で表示された情報をアイレンジ側に反射させる四角形状のミラーのホルダーは、ミラーの４つの辺を保持する枠体で形成される。これにより、軽量でありながらミラーを強固に保持することができる。これに加えて、このミホルダーは、表示器から発せられる光がこのミラーホルダーの一部にあたってアイレンジ側に反射するのを防止するための反射防止手段を有している。これにより、ホルダーの輪郭がアイレンジから視認されるのを防止できる。
【００１１】
上記課題を解決するためになされた請求項２記載のミラーホルダーは、車両に関する情報を発光表示する表示器と、車両のインストルメントパネルに埋設されて前記表示器を収容する筐体と、前記表示器で表示された情報を、アイレンジ側に反射させる四角形状のミラーと、を備えた虚像式メータに用いられ、前記筐体の内面に装着されて前記ミラーを保持するミラーホルダーであって、前記ミラーの４つの辺を保持する枠体で形成されると共に、前記表示器から発せられる光がこのミラーホルダーの一部にあたってアイレンジ側に反射するのを防止するための反射防止手段が一体形成されている、ことを特徴とする。
【００１２】
請求項２記載の発明によれば、本ミラーホルダーは、その４つの辺を保持する枠体で形成される。これにより、軽量でありながらミラーを強固に保持することができる。これに加えて、本ミラーホルダーは、表示器から発せられる光がこのミラーホルダーの一部にあたってアイレンジ側に反射するのを防止するための反射防止手段を有している。これにより、ホルダーの輪郭がアイレンジから視認されるのを防止できる。
【００１３】
上記課題を解決するためになされた請求項３記載のミラーホルダーは、請求項２記載のミラーホルダーにおいて、前記表示器から鉛直方向に発せられる光に略直交する２辺である前記ミラーの第１対向辺、をそれぞれ保持する第１枠部及び第２枠部と、前記第１対向辺に直交する２辺である前記ミラーの第２対向辺、をそれぞれ保持する第３枠部及び第４枠部と、から構成され、前記第１枠部及び前記第２枠部の少なくともいずれか一方の上面には、前記表示器から発せられる光が前記アイレンジ側に反射するのを遮断する断面三角形状の反射防止用リブが延設されている、ことを特徴とする。
【００１４】
請求項３記載の発明によれば、ミラーの第１対向辺をそれぞれ保持する第１及び第２枠部の少なくともいずれか一方の上面には、断面三角形状の反射防止用リブが延設されている。この反射防止用リブにより、枠体であるホルダーが頑丈になると共に、ホルダーの輪郭がアイレンジ側へ反射するのを抑制できる。
【００１５】
上記課題を解決するためになされた請求項４記載のミラーホルダーは、請求項２記載のミラーホルダーにおいて、前記ミラーホルダーは、前記表示器から鉛直方向に発せられる光に略直交する２辺である前記ミラーの第１対向辺、をそれぞれ保持する第１枠部及び第２枠部と、前記第１対向辺に直交する２辺である前記ミラーの第２対向辺、をそれぞれ保持する第３枠部及び第４枠部と、から構成され、前記第３及び第４枠部の少なくともいずれか一方の内側面には、前記表示器から発せられる光が前記アイレンジ側に反射するのを遮断する断面三角形状の複数の反射防止用突条が連設されている、ことを特徴とする。
【００１６】
請求項４記載の発明によれば、ミラーの第２対向辺をそれぞれ保持する第３枠部及び第４枠部の少なくともいずれか一方の内側面には、断面三角形状の複数の反射防止用突条、すなわち、ノコギリ形状の突条が設けられている。このノコギリ形状の突条により、ホルダーの輪郭がアイレンジ側へ反射するのを抑制できる。
【００１７】
上記課題を解決するためになされた請求項５記載のミラーホルダーは、請求項４記載のミラーホルダーにおいて、前記第１枠部及び前記第２枠部の少なくともいずれか一方の上面には、断面三角形状の反射防止用リブが延設されている、ことを特徴とする。
【００１８】
請求項５記載の発明によれば、ミラーの第１対向辺をそれぞれ保持する第１及び第２枠部の少なくともいずれか一方の上面には、断面三角形状の反射防止用リブが延設されている。また、ミラーの第２対向辺をそれぞれ保持する第３枠部及び第４枠部の少なくともいずれか一方の内側面には、断面三角形状の複数の反射防止用突条、すなわち、ノコギリ形状の突条が設けられている。これにより、ホルダーの輪郭がアイレンジ側へ反射するのを大幅に抑制できる。
【００１９】
上記課題を解決するためになされた請求項６記載のミラーホルダーは、請求項５記載のミラーホルダーにおいて、前記反射防止用リブは、それぞれ平行に複数本延設されている、ことを特徴とする。
【００２０】
請求項６記載の発明によれば、反射防止用リブは、それぞれ平行に複数本延設されているので、ホルダー構造が更に頑丈になると共に、ホルダーの輪郭がアイレンジ側へ反射するのを更に効果的に抑制できる。
【００２１】
上記課題を解決するためになされた請求項７記載のミラーホルダーは、請求項２〜６のいずれか一項に記載のミラーホルダーにおいて、前記第４枠部は、前記第３枠部より幅広に形成されており、前記第４枠部の裏面には、前記ミラーを裏面から保持するための保持部と、前記保持部と前記第４枠部とを連結する可撓性を有する折曲部と、前記保持部の外縁と係合する爪部と、が形成されている、ことを特徴とする。
【００２２】
請求項７記載の発明によれば、第４枠部の裏面には、ミラーを裏面から保持するための保持部、保持部と第３枠部とを連結する可撓性を有する折曲部、保持部の外縁と係合する爪部が形成されているので、ミラーを容易にホルダーに取り付けることができるうえに確実にミラーを保持できる。
【発明の効果】
【００２３】
請求項１記載の発明によれば、車両用の虚像式メータにおいて、表示器で表示された情報をアイレンジ側に反射させる四角形状のミラーのホルダーは、ミラーの４つの辺を保持する枠体で形成される。これにより、軽量でありながらミラーを強固に保持することができる。これに加えて、このミホルダーは、表示器から発せられる光がこのミラーホルダーの一部にあたってアイレンジ側に反射するのを防止するための反射防止手段を有している。したがって、筐体内にはホルダー専用の反射防止構造を設けることなくとも、ホルダーの輪郭がアイレンジから視認されるのを防止でき、表示品質及び視認性を向上させることができる。
【００２４】
請求項２記載の発明によれば、本ミラーホルダーは、その４つの辺を保持する枠体で形成される。これにより、軽量でありながらミラーを強固に保持することができる。これに加えて、本ミラーホルダーは、表示器から発せられる光がこのミラーホルダーの一部にあたってアイレンジ側に反射するのを防止するための反射防止手段を有している。このため、筐体内にはホルダー専用の反射防止構造を施すことなくとも、ホルダーの輪郭がアイレンジから視認されるのを防止できる。したがって、従来の筐体構造を流用しつつも、表示品質を向上させた虚像式メータを提供することができるようになる。
【００２５】
請求項３記載の発明によれば、ミラーの第１対向辺をそれぞれ保持する第１及び第２枠部の少なくともいずれか一方の上面には、断面三角形状の反射防止用リブが延設されている。この反射防止用リブにより、枠体であるホルダーが頑丈になると共に、ホルダーの輪郭がアイレンジ側へ反射するのを抑制できる。
【００２６】
請求項４記載の発明によれば、ミラーの第２対向辺をそれぞれ保持する第３枠部及び第４枠部の少なくともいずれか一方の内側面には、断面三角形状の複数の反射防止用突条、すなわち、ノコギリ形状の突条が設けられている。このノコギリ形状の突条により、ミラーの保持がより確実になると共に、ホルダーの輪郭がアイレンジ側へ反射するのを抑制できる。
【００２７】
請求項５記載の発明によれば、ミラーの第１対向辺をそれぞれ保持する第１及び第２枠部の少なくともいずれか一方の上面には、断面三角形状の反射防止用リブが延設されている。また、ミラーの第２対向辺をそれぞれ保持する第３枠部及び第４枠部の少なくともいずれか一方の内側面には、断面三角形状の複数の反射防止用突条、すなわち、ノコギリ形状の突条が設けられている。したがって、ホルダー構造が頑丈になり且つミラーの保持が確実になると共に、ホルダーの輪郭がアイレンジ側へ反射するのを大幅に抑制できる。
【００２８】
請求項６記載の発明によれば、反射防止用リブは、それぞれ平行に複数本延設されているので、ホルダー構造が更に頑丈になると共に、ホルダーの輪郭がアイレンジ側へ反射するのを更に効果的に抑制できる。
【００２９】
請求項７記載の発明によれば、第４枠部の裏面には、ミラーを裏面から保持するための保持部、保持部と第３枠部とを連結する可撓性を有する折曲部、保持部の外縁と係合する爪部が形成されているので、ミラーを容易にホルダーに取り付けることができるうえに確実にミラーを保持できるという効果が加わる。
【発明を実施するための最良の形態】
【００３０】
以下、本発明の実施の形態を図面に基づいて説明する。
まず、図１〜図３を用いて、本発明に係る虚像式メータの全体構造等について説明する。図１は、本発明の虚像式メータによる情報表示例を示す図である。図２は、本発明の虚像式メータの一例を示す分解斜視図である。図３は、図２の虚像式メータの断面図である。
【００３１】
図１に示すように、本虚像式メータは、運転席に着座したドライバ等のアイレンジは、図１に示すように、そのハーフミラー１０を介して、実像情報１１ａ及び虚像情報３ａが合成された、車両に関する情報が視認される。ここでは、各種ワーニングや方向指示が実像情報１１ａとして表示され、スピードメータ、オドメータ、フューエルメータ、Ａ／Ｔポジションメータ等の各種計測値が虚像情報３ａとして表示されるものとする。これらの割り当て方は、必ずしもこの例に限定されるものではない。
【００３２】
実像情報１１ａは、ハーフミラー１０の裏面に配置された実像用表示器からの情報を示す表示光が、ハーフミラー１０をアイレンジ側に透過したものである。一方、虚像情報３ａは、ハーフミラー１０の下方前面に配置される虚像表示器からの情報を示す表示光が、ミラーで反射した後にハーフミラー１０でアイレンジ側に反射したものである。
【００３３】
図２及び図３に示すように、本虚像式メータは、バックユニット１、基板２、虚像表示器３、反射部ユニット４、ミラー５、ミラーホルダー６、ホルダーユニット７、表ガラス８、フロントユニット９、ハーフミラー１０及び実像表示器１１を含むユニット部品から構成されており、これらが組み合わされて構成される。
【００３４】
本虚像式メータは、バックユニット１、反射部ユニット４、ホルダーユニット７及びフロントユニット９から構成される筐体ユニット部材が組み合わされて外形が構成され、車両のフロント部のインストルメントパネルＩに埋設される。各ユニットは、例えば、黒色の樹脂製であり、ネジ等で互いに固定される。
【００３５】
バックユニット１は、長方形の浅皿状であり、基板２を収容する。反射部ユニット４は、ミラーホルダー６が装着される傾斜面４１を有する。また、反射部ユニット４の側面には、インストルメントパネルＩに取り付けるための複数の取付片４２が設けられ、片方の側面には、関連する電子部品を収容するサイドユニット４３が取り付けられる。ホルダーユニット７は、傾斜面４１に装着されたミラーホルダー６を上側に取り付けられる。ホルダーユニット７の内側面には、虚像表示器３から発せられる光の反射を抑制するための、複数のリブ７１が設けられている。これら反射部ユニット４及びホルダーユニット７は、本虚像式メータの中央部を構成するユニットである。
【００３６】
フロントユニット９は、ドライバ等のアイレンジに対向する側が開口した三角柱状をしている。フロントユニット９の下面側には表ガラス８の形状に対応した開口部９１が形成され、上面側には２つの実像表示器１１の表示面の形状にそれぞれ対応した２つの開口部９２が形成されている。また、フロントユニット９の上辺には、その開口部９２に取り付けられたハーフミラー１０を固定するための複数の係止部９３が形成され、その側面にはクランプをぶら下げるための孔付取付片９４、その内面にはインストルメントパネルに取り付けるための取付孔９５が設けられている。
【００３７】
基板２の裏面には、本虚像式メータに関する各種電子部品２１や電源コネクタ２２等が実装されている。また、基板２の前面には、虚像表示器３が実装されている。虚像表示器３は、例えば、蛍光表示管等の発光表示型の表示装置で構成される。この虚像表示器３は、基板２に実装されて筐体の最奥部の底面に配置される。この虚像表示器３の表示面には、図１で示した虚像情報３ａに対応する表示エレメントが形成されており、これが所定の制御信号に応答して発光する。
【００３８】
ミラー５は、長方形状をしており、反射率９０％以上の平板状の周知の全反射型のミラーである。このミラー５は、枠体で構成されたミラーホルダー６に保持されている。ミラーホルダー６は、黒色系の樹脂製であり、上記虚像表示器３からの情報を十分にカバーできる程度の枠体を構成する枠部６１、６２で構成される。このミラーホルダー６の構成及び作用効果については、図４以降で再度説明する。
【００３９】
表ガラス８は、暗色系半透過性、例えば、周知の透過率９０％程度の平板状のアクリル板で形成される。この表ガラス８は、上記反射された情報の微妙な色調整をしたり、フロントユニット９の開口部９１に取り付けられて虚像表示器３やミラー５を筐体に内封し、虚像表示器３やミラー５をダスト等から保護する機能等も有する。
【００４０】
ハーフミラー１０は、入射した光の総てを反射せず、その光量の何割かを透過させる性質を持つ。したがって、ハーフミラー１０の裏面に配置された実像表示器１１からの情報は、このハーフミラー１０を透過して、アイレンジＥＲに向かう。一方、ミラー５で反射された虚像表示器３からの情報は、このハーフミラー１０でも反射されて、アイレンジＥＲに向かう。
【００４１】
実像表示器１１は、例えば、液晶表示装置等の発光表示型の表示器であり、ドライバ側からみるとハーフミラー１０の裏面に配置される。この実像表示器１１は、本体部１１１及びワーニングレンズ１１２から構成される。本体部１１１は、光源を収容するワーニングホルダ１１３、その裏面に取り付られ少なくとも光源を実装する基板（不図示）、この基板を保護する保護カバーからなる。ワーニングレンズ１１２には、図１で示した実像情報１１ａに対応する表示意匠が形成されており、裏面から照明されて発光表示される。
【００４２】
このような構成における本虚像式メータの基本作用について、図３を用いて説明する。すなわち、所定の制御信号に応答して、実像表示器１１からのワーニング等の情報を示す表示光Ｌ１１が発せられると、この表示光Ｌ１１は、ハーフミラー１０を透過して、アイレンジＥＲに向かい、ドライバ等にて視認される。
【００４３】
一方、所定の制御信号に応答して、虚像表示器３からスピード等の情報を示す表示光Ｌ３が出射されると、この表示光Ｌ３は、ミラー５で一旦反射されて、表ガラス８を透過してハーフミラー１０に向かう。ハーフミラー１０では、この表示光Ｌ３が再度反射されて、アイレンジＥＲに向かう。これにより、スピード等の情報に関しては、アイレンジＥＲからは、あたかも、虚像表示器３からハーフミラー１０までの距離分だけ、遠方にスピード等の情報が表示されているように視認される。したがって、虚像表示器３からアイレンジまでの距離と、ウインドウシールドを通した前方視界との差が縮まり、ドライバ等は焦点をあわせやすくなり、スピード等の情報の視認性が向上する。
【００４４】
なお、ホルダーの輪郭がアイレンジ側へ反射するのを抑制する作用については、図６から図９を用いて後述する。
【００４５】
次に、図４及び図５を用いて、上記ミラーホルダー６について説明を加える。図４及び図５は、本発明のミラーホルダーの一例を示す斜視図であり、特に、図４は、前面側からみたミラーホルダーの斜視図であり、図５（Ａ）は、裏面側からみたミラーホルダーの斜視図であり、図５（Ｂ）は、図５（Ａ）のＸで示すミラー保持部を拡大した斜視図である。
【００４６】
図４に示すように、本ミラーホルダー６は、上記虚像式メータの反射部ユニット４の内面に装着されてミラー５、正確には、ミラー５の４辺を保持する。上記虚像表示器３からの情報を十分にカバーできる程度の枠体を構成する枠部６１、６２で構成される。枠部６２（請求項の第４枠部に対応）は、他の枠部６１（請求項の第１〜３枠部）よりも幅広に形成されている。
【００４７】
ミラーホルダー６は、ミラー５の長辺、すなわち、取り付け時には、虚像表示器３から鉛直方向に発せられる光に略直交する２辺を構成する第１対向辺、をそれぞれ保持する第１枠部及び第２枠部６１と、ミラー５の短辺、すなわち、長辺に直交する２辺であるミラーの第２対向辺、をそれぞれ保持する第３枠部６１及び第４枠部６２と、から構成されている。
【００４８】
図４に示すように、前面側からみると、ミラーホルダー６の第１枠部の上面には、虚像表示器３から発せられる光がアイレンジ側に反射するのを遮断する断面三角形状の複数の反射防止用リブ６３ａがそれぞれ平行に延設されている。また、第２枠部の上面には、同様に、表示器から発せられる光がアイレンジ側に反射するのを遮断する断面三角形状の複数の反射防止用リブ６３ｂが延設されている。これら第１枠部及び第２枠部の外側面には、反射部ユニット４に固着するときに利用されるロック爪６４が設けられている。リブ６３ａ、６３ｂは、後述の反射防止効果もあるが、枠体であるホルダー６を頑丈にするという効果もある。
【００４９】
また、第３枠部の内側面には、虚像表示器３から発せられる光がアイレンジ側に反射するのを遮断する断面三角形状の複数の反射防止用突条６３ｃ、すなわち、ノコギリ形状の突条６３ｃが設けられている。同様に、第４枠部の内側面にも、虚像表示器３から発せられる光がアイレンジ側に反射するのを遮断するノコギリ形状の突条６３ｄが設けられている。突条６３ｃ、６３ｄは、後述の反射防止効果もあるが、ミラー５の保持を強化するという効果もある。
【００５０】
図５（Ａ）に示すように、裏面側からみると、ミラーホルダー６の第３枠部の外側面にも、反射部ユニット４に固着するときに利用されるロック爪６５が設けられている。また、第３枠部の外側面には、ミラー５を保持するための複数の突起６６が設けられている。一方、他よりも幅広に形成された第４枠部６２の裏面には、少なくとも、ミラー５を裏面から保持するための保持部６７ａと、保持部６７ａと第４枠部６２とを連結する可撓性を有する折曲部６７ｂと、保持部６７ａの外縁と係合する爪部６７ｃと、を含む、ミラー保持構造６７が形成されている。
【００５１】
詳しくは、保持部６７ａは、第４枠部６２に設けられたコ字部６７ｄに対応した形状の平板部６７ａ１と、ミラー５の縁部近傍に接触してミラー５を保持する保持片６７ａ２と、第４枠部６２に設けられたコ字部６７ｄの内縁６７ｄ１と接触する突起壁６７ａ３とから構成される。
【００５２】
ミラー５のホルダー６への取り付け時には、まず、保持部６７ａを開いた状態にする。次に、ミラー５を図５に示す裏側から第１〜第４枠部内にはめ込む。この際、第３枠部の裏面の一部と複数の突起６６にミラー５の一短辺が挟み込まれ、且つ、ミラー５の他短辺が第４枠部の裏面の一部に接触するようにする。そして、保持部６７ａを閉じた状態にする。この際、保持片６７ａ２がミラー５に接触するまで折り曲げ、保持片６７ａ２の外縁が爪部６７ｃによって係止されるようにする。このように、ミラー５を容易にホルダー６に取り付けることができるうえに確実にミラーを保持できる。
【００５３】
更に、図６〜図９を用いて、上記構成のミラーホルダーを用いることによる、本発明に特有の作用について説明する。図６は、本発明における作用を説明するための図であり、特に、図７はミラーホルダーの第１枠部、図８は第２枠部、図９は第３枠部及び第４枠部の作用を説明するための図である。なお、図６〜図９においては作用を説明することが目的なので、上記図１〜図５に示した構成要素のうちで、この説明に不用な部分は概略的に示している。但し、図６〜図９において、図１〜図５と共通する部分には、同一の符号を付している。
【００５４】
所定の制御信号に応答して、虚像表示器３からスピード等の情報を示す表示光Ｌ３が出射されると、この表示光Ｌ３のうちで、ミラーホルダー６の第１枠部に向かった光Ｌ３ａ及び第２枠部に向かった光Ｌ３ｂはそれぞれ、上記リブ６３ａ、並びに６３ｂ及び壁４ｂにより、これより先、アイレンジＥＲ方向に進行するのが阻止される。なお、図示しないが、第３枠部及び第４枠部に向かった光も、これより先、アイレンジＥＲ方向に進行するのが阻止される。
【００５５】
詳しくは、図７に示すように、ミラーホルダー６の第１枠部に向かった光Ｌ３ａは、断面三角形状の反射防止用リブ６３ａの斜面６３ａ２に入射するが、ここから、アイレンジＥＲ方向に反射することはないような形状になっている。すなわち、光Ｌ３ａがあたる斜面６３ａ２は、アイレンジＥＲ方向からみると、完全に隠れてしまうような形状になっている。なお、リブ６３ａの右隣にある他のリブも同様の作用を呈する構成になっている。このため、斜面６３ａ２で反射した光は、アイレンジＥＲに到達することはない。
【００５６】
また、図８に示すように、ミラーホルダー６の第２枠部に向かった光Ｌ３ｂは、断面三角形状の反射防止用リブ６３ｂの斜面６３ｂ２に入射するが、ここで反射した光は、反射部ユニット４に設けられた壁４ｂで遮断されて、アイレンジＥＲ方向に向かうことはない。すなわち、光Ｌ３ｂがあたる斜面６３ｂ２は、アイレンジＥＲ方向からみると、壁４ｂにより、完全に隠れてしまう。このため、斜面６３ａ２で反射した光も、アイレンジＥＲに到達することはない。なお、この第２枠部にも上記リブ６３ａと同様の、反射防止用リブを設けるようにしてもよい。但し、この場合のリブの傾斜角は上記リブ６３ａとは異なったものとなる。
【００５７】
更に、ミラーホルダー６の第３枠部（第４枠部）に向かった光Ｌ３ｃ（Ｌ３ｄ）は、断面三角形状の複数の反射防止用突条６３ｃ（６３ｄ）の斜面６３ｃ２（６３ｄ２）に入射するが、ここからも、アイレンジＥＲ方向に反射することはないような形状になっている。すなわち、光Ｌ３ｃ（Ｌ３ｄ）があたる斜面６３ｃ２（６３ｄ２）は、アイレンジＥＲ方向からみると、完全に隠れてしまう。このため、斜面６３ｃ２（６３ｄ２）で反射した光も、アイレンジＥＲに到達することはない。なお、アイレンジＥＲ方向から突条６３ｃ（６３ｄ）の頂点をかすめて斜面６３ｃ１（６３ｄ１）に至る線と、斜面６３ｃ２（６３ｄ２）とのなす角度θは、上述のように、光Ｌ３ｃ（Ｌ３ｄ）がアイレンジＥＲ方向に反射することのない範囲内であれば適宜調整可能である。これは、上記リブ６３ａに関しても同様である。
【００５８】
このような作用により、ミラーホルダー６の第１〜第４枠部に直接反射して、アイレンジＥＲに向かう光が全て遮断可能になる。したがって、図１に示したようなミラーホルダー６の輪郭３′がアイレンジから視認されるのを防止でき、虚像式メータの表示品質及び視認性を向上させることができる。なお、上記リブ６３ａ、６３ｂ、及び突条６３ｃ、６３ｄは、請求項の反射防止手段に対応する。
【００５９】
なお、上述のような反射防止用リブ６３ａを、ミラーホルダー６の第１枠部及び第２枠部の両方に設け、反射防止用突条６３ｃ及び６３ｄを第３枠部及び第４枠部の両方に設けることが最も好ましいが、少なくとも、このうちのひとつだけ設けても、従来よりは、ホルダーの輪郭がアイレンジ側へ反射するのを抑制できる。
【００６０】
以上のように、本発明の実施形態によれば、図７及び図９に示したリブや突条をミラーホルダーに適用することにより、筐体内にはホルダー専用の反射防止構造を新たに設けることなくとも、ホルダーの輪郭がアイレンジ側から視認されるのを防止でき、虚像式メータの表示品質及び視認性を向上させることができる。また、ミラーの取り付けが容易であるため、虚像式メータの総組立工数の削減にも効果がある。
【００６１】
なお、本発明は、上記実施形態に限定されず、その主旨を逸脱しない範囲で適宜変更可能である。例えば、リブや突条は、必ずしも、断面三角形状でなくてもよく、上述した反射防止作用と同様の作用が得られる形状であれば、断面四角形状や断面多角形状であってもよい。また、リブや突条の本数、個数、大きさも適宜変更可能である。
【図面の簡単な説明】
【００６２】
【図１】本発明の虚像式メータによる情報表示例を示す図である。
【図２】本発明の虚像式メータの一例を示す分解斜視図である。
【図３】図２の虚像式メータの断面図である。
【図４】前面側からみたミラーホルダーの斜視図である。
【図５】図５（Ａ）は裏面側からみたミラーホルダーの斜視図であり、図５（Ｂ）は図５（Ａ）のＸで示すミラー保持部を拡大した斜視図である。
【図６】本発明における作用を説明するための図である。
【図７】ミラーホルダーの第１枠部の作用を説明するための図である。
【図８】ミラーホルダーの第２枠部の作用を説明するための図である。
【図９】ミラーホルダーの第３枠部及び第４枠部の作用を説明するための図である。
【図１０】従来の問題点を説明するための虚像式メータの断面図である。
【符号の説明】
【００６３】
１  バックユニット
２  基板
３  虚像表示器
４  反射部ユニット
５  全反射ミラー
６  ミラーホルダー
７  ホルダーユニット
８  表ガラス
９  フロントユニット
１０  ハーフミラー
１１  実像表示器
６３ａ、６３ｂ  反射防止用リブ
６３ｃ、６３ｄ  反射防止用突条
【図１】
2005055663.tif 000003
【図２】
2005055663.tif 000004
【図３】
2005055663.tif 000005
【図４】
2005055663.tif 000006
【図５】
2005055663.tif 000007
【図６】
2005055663.tif 000008
【図７】
2005055663.tif 000009
【図８】
2005055663.tif 000010
【図９】
2005055663.tif 000011
【図１０】
2005055663.tif 000012